(57)【特許請求の範囲】
【請求項１】
スクリーン（１２）を有する遮蔽材（１０）であって、
スクリーン（１２）の上端部は折り返されて、該折り返された上端部の内側に上枠（２０）が挿入されており、該上枠（２０）にはスリット（２０ｃ）が形成され、スクリーン（１２）は該スリット（２０ｃ）の少なくとも一部と互いに重なり合う位置に貫通部（１２ａ）を有しており、
前記上枠（２０）の内側には、吊下げ部材（２２）が挿入され、該吊下げ部材（２２）は、その一部が上枠の内側に係止される一方で、その他の部分がスリット（２０ｃ）及びスリット（２０ｃ）と重なり合う貫通部（１２ａ）を貫通してスクリーンから上方に突出することによりスクリーン（１２）を上枠（２０）に固定するとともに、遮蔽材の被取付部に吊下げ可能となっていることを特徴とする遮蔽材。
【請求項２】
スクリーン（１２）は、複数のヒゴ（１４）を織糸（１６）によって上下方向に連結した経木であり、貫通部（１２ａ）は互いに隣り合うヒゴ間に形成される隙間であることを特徴とする請求項１記載の遮蔽材。
【発明の詳細な説明】
【技術分野】
【０００１】
本発明は、タスペトリーや縦型ブラインドのルーバーなどの遮蔽材に関する。
【背景技術】
【０００２】
従来の遮蔽材のスクリーンをレールや天井面等の被取付部へと取り付けるための構成としては特許文献１に記載されたすだれ等の取付桟が知られている。これによれば、取付桟の片縁に、すだれやタペストリー等を挟持するスリット挟持部を設け、取付桟の他縁にフック楔着溝を設け、スリット挟持部とフック楔着溝との間に両側部本体間を一体化した弾性中芯を設けている。これにより、取付桟のフック楔着溝へフックを直接または楔ブロック部材を介して装着すると、弾性中芯の作用により反対側にあるスリット挟持部の挟持力が増して、強固に横桟や布等の外れを防止することができる。
【０００３】
【特許文献１】実公平４−７６７号公報
【発明の開示】
【発明が解決しようとする課題】
【０００４】
しかしながら、特許文献１に記載の発明においては、すだれやタペストリーの上端部を取付桟のスリット挟持部で挟み付ける構造であるため、すだれやタペストリーの上方で取付桟が外側に露出してしまうことになり、意匠性を損なうという問題がある。
【０００５】
本発明はかかる課題に鑑みなされたもので、タスペトリーや縦型ブラインドのルーバーなどの遮蔽材において、被取付部に取り付けるための取付構造を露出させずに、意匠性を向上させることができる遮蔽材を提供することをその目的とする。
【課題を解決するための手段】
【０００６】
前述した目的を達成するために、請求項１記載の発明による遮蔽材は、スクリーンを有する遮蔽材であって、
スクリーンの上端部は折り返されて、該折り返された上端部の内側に上枠が挿入されており、該上枠にはスリットが形成され、スクリーンは該スリットの少なくとも一部と互いに重なり合う位置に貫通部を有しており、
前記上枠の内側には、吊下げ部材が挿入され、該吊下げ部材は、その一部が上枠の内側に係止される一方で、その他の部分がスリット及びスリットと重なり合う貫通部を貫通してスクリーンから上方に突出することによりスクリーンを上枠に固定するとともに、遮蔽材の被取付部に吊下げ可能となっていることを特徴とする。
【０００７】
請求項２記載の発明による遮蔽材は、請求項１記載のスクリーンが、複数のヒゴを織糸によって上下方向に連結した経木であり、貫通部は互いに隣り合うヒゴ間に形成される隙間であることを特徴とする。
【発明の効果】
【０００８】
本発明によれば、スクリーンの上端部を折り返し、この折り返された内側に上枠を挿入し、さらに上枠の内側で吊下げ部材を係止させるために、上枠がスクリーンの外側に露出しない。そして、スクリーンから上方に突出した吊下げ部材の部分を、レールや天井面等の被取付部に取り付けることで、あたかもスクリーンのみが吊下げられた状態とすることができるため、意匠性を向上させることができる。
【０００９】
上枠に形成されるスリットに吊下げ部材を貫通させて上枠に係止される構造とすることによって、スクリーンに形成される貫通部の位置やスクリーンの取付場所の状況に応じて吊下げ部材の位置を調整することができるため、スクリーン吊下げ時の作業性を向上させることができる。
【００１０】
スクリーンとして経木を使用した場合には、互いに隣り合うヒゴ間に形成される僅かな隙間を貫通部として利用して吊下げ部材を取り付けることができるため、スクリーンに特別な加工を施すことなく上枠及び吊下げ部材を取り付けることが可能となる。
【発明を実施するための最良の形態】
【００１１】
以下、図面を用いて本発明の実施の形態を説明する。
図１〜図４は、本発明の第１実施形態による遮蔽材を示しており、この実施形態では、タペストリーとして実施した例を示す。
【００１２】
遮蔽材１０は、スクリーン１２を備えている。この例ではスクリーン１２は、経木からなり、経木１２は、多数のヒゴ１４が平行に並列されたものを、該ヒゴ１４の幅方向に所定間隔をあけた複数の位置で、織糸１６によって上下方向に互いに連結したものからなる。
【００１３】
スクリーン１２の上端部は、折り返されており、折り返された上端部の内側には、上枠２０が挿入される。
【００１４】
図２に示すように、上枠２０は、金属または合成樹脂の剛性のあるものからなり、ほぼスクリーン１２の幅寸法と同じかまたはやや小さい幅寸法を有し、断面コ字状の形状を有する長尺部材であり、断面コ字状の開口部２０ａが下方を向くように配置される。開口部２０ａが下方を向いた断面コ字状の上壁２０ｂには、長手方向に所定間隔をあけて複数のスリット２０ｃが形成される。
【００１５】
さらに、上枠２０の内側には複数の吊下げ部材２２が挿入される。吊下げ部材２２は、その基端がハンガー部２２ａとなり、その先端が、ハンガー部２２ａよりも肉薄な吊下げ部２２ｂとなる。吊下げ部材２２が上枠２０の開口部２０ａから内側に挿入されたときに、ハンガー部２２ａは、上壁２０ｂに当接して係止され、吊下げ部２２ｂのみが前記上枠２０のスリット２０ｃを貫通して上方に突出することができる。吊下げ部２２ｂの幅は、スリット２０ｃの幅と同じに設定してもよい。吊下げ部２２ｂには、後述するフック部に係止可能な吊下げ穴２２ｃが形成されている。
【００１６】
次に、図３を参照しながら、遮蔽材１０の組立てからフック部２４ａに取り付けるまでの一連の作業の流れを説明する。
【００１７】
まず、図３（ａ）に示すように、経木１２の折り返された上端部の内側に上枠２０が挿入されるように、経木１２の上端部を上枠２０の形状に沿うように巻き掛ける。このとき、経木１２の互いに隣り合うヒゴ１４間で且つ織糸１６が無い部分には、本来、隙間が形成されているので、この隙間のうち、スリット２０ｃと重なり合う部分を貫通部１２ａとする。経木１２の幅方向の貫通部１２ａの位置は、ヒゴ１４を連結する隣り合う織糸１６の間に形成される隙間のうちの全体を含む任意の部分とすることが可能である。また、隙間は複数の織糸１６の間に複数形成されているので、その複数の隙間の中からスリット２０ｃと重なり合う部分である貫通部１２ａとなる部分を設定することは容易である。さらには、スリット２０ｃは上枠２０に複数形成されているため、その中から、次の吊下げ部材２２の吊下げ部２２ｂを貫通させるのに適したスリット２０ｃを選択することができる。
【００１８】
次に、図３（ｂ）に示すように、吊下げ部材２２を上枠２０の開口部２０ａから内側に挿入し、吊下げ部２２ｂを複数のスリット２０ｃうちから一部のスリット２０ｃ及びこのスリット２０ｃに重なり合う貫通部１２ａに貫通させて、図３（ｃ）に示すように上方に突出させるとともに、ハンガー部２２ａを上壁２０ｂの内側に係止させる。これにより、図１及び図４に示すように、外側からみると、経木１２の上端部から突出する吊下げ部２２ｂを除き、経木１２のみが外側に露出し、上枠２０は外側に露出しない外観を有する遮蔽材１０が構成される。
【００１９】
最後に、被取付部となる壁面２４に取り付けられたフック部２４ａに吊下げ部材２２の吊下げ穴２２ｃを係止させることにより、遮蔽材１０が壁面２４に取り付けられる。なお、フック部２４ａをレールや天井面等に取り付け、遮蔽材１０をレールや天井面等から吊下げることも可能である。
【００２０】
このように、第１実施形態においては、スクリーンとして経木１２を用いたことにより、隣り合うヒゴ間に本来的に形成される隙間を貫通孔１２ａとすることができる。そして、吊下げ部材２２の吊下げ部２２ｂを上枠２０の複数のスリット２０ｃのうちから一部のスリット２０ｃ及びこのスリット２０ｃに重なり合う貫通部１２ａに貫通させることによって、上枠２０及び吊下げ部材２２は経木１２に対して固定される。こうして、経木１２に特別な加工を施すことなく、上枠２０に経木１２を取り付けることができる。また、縫製なども不要とすることもできる。
【００２１】
上枠２０の断面コ字状の上壁２０ｂに形成されるスリット２０ｃは複数設けることとしたが、これに限らず、上壁２０ｂの両端部を残した全長に渡って形成することでもよい。この場合には、吊下げ部材２２の位置を上枠２０の長手方向に沿って微調整することができる。
【００２２】
尚、経木１２の上端部が折り返された側に対応する遮蔽材１０の部分等において、経木１２と上枠２０とをビスなどの固定手段で固定して、さらに経木１２と上枠２０の固定をさらに確実にすることもできるが、必ずしも、そのような固定手段を用いる必要はない。
【００２３】
図１及び図４に示すように、経木１２の上端部からは吊下げ部２２ｂしか突出せず、上枠２０は経木１２で隠されて外側には露出しないため、吊下げ部２２ｂをフック部２４ａに係止した際にはあたかも経木１２のみが吊下げられた状態となって見えるため、意匠性を向上させることができる。
【００２４】
図５は、本発明の第２実施形態を表す全体正面図であり、本発明を縦型ブラインドに実施した例を示す。
【００２５】
本実施の形態では、遮蔽材１０を縦型ブラインドのルーバーとしての利用したもので、経木１２及び上枠２０の幅方向の大きさを、縦型ブラインドのルーバーとして機能する大きさに設定し、１つの上枠２０の内側に吊下げ部材２２を１つ挿入してなる遮蔽材１０の吊下げ部材２２を、ヘッドレール２６内を移動可能な複数のランナ（不図示）から垂下するフック部２４ａにそれぞれ係止する点以外は、第１実施形態と同様の構成を有する。
【００２６】
このように、第２実施形態においても、第１実施形態と同様の作用・効果が得られる。また、経木１２に特別な加工を施すことなく、縫製も不要とすることができる縦型ブラインドのルーバーを構成することができる。
【００２７】
但し、第１実施形態及び第２実施形態では、スクリーンとして経木を用いていたが、必ずしも経木に限るものではなく、経木以外の任意の材料からなるスクリーンを用いることができる。スクリーンの種類によって、本来、隙間が形成されていない物である場合には、その上端部に貫通部を加工すればよい。
【図面の簡単な説明】
【００２８】
【図１】本発明の第１実施形態による遮蔽材の全体の構成を示す正面図（一部破断図を含む）である。
【図２】本発明の上枠及び吊下げ部材の部分斜視図である。
【図３】（ａ）は上枠に経木を巻き掛ける状態を示す断面図、（ｂ）は上枠内に吊下げ部材を挿入する状態を示す断面図、（ｃ）は吊下げ部材をスリット及び貫通部に貫通させた状態を示す断面図、（ｄ）は遮蔽材をフック部に取り付けた状態を示す断面図である。
【図４】図１のＡ部分の背面図である。
【図５】本発明の第２実施形態を表す全体の構成を示す正面図であり、左側がルーバーが閉じた状態、右側がルーバーが開いた状態を表す。
【符号の説明】
【００２９】
１０  遮蔽材
１２  スクリーン（経木）
１２ａ  貫通部
１４  ヒゴ
１６  織糸
２０  上枠
２０ｂ  上壁
２０ｃ  スリット
２２  吊下げ部材
２６  ヘッドレール
【図１】
0004989558.tif 000002
【図２】
0004989558.tif 000003
【図３】
0004989558.tif 000004
【図４】
0004989558.tif 000005
【図５】
0004989558.tif 000006